(57)【特許請求の範囲】
【請求項１】
ソーラー電源と、
前記ソーラー電源から供給された電力を用いて、定電圧を生成する定電圧回路と、
第１の運針速度と、前記第１の運針速度より速い第２の運針速度とによって回転体を駆動して計時する制御回路と、
を備え、
前記制御回路は、
前記第１の運針速度の場合に、前記ソーラー電源の電圧で前記回転体を駆動し、
前記第２の運針速度の場合に、前記定電圧および前記ソーラー電源の電圧のうち一方の電圧で前記回転体を駆動するように選択する、電子時計。
【請求項２】
前記回転体は、時針、分針、および秒針を備え、
前記時針、前記分針、前記秒針それぞれを駆動する複数のモータ、を備え、
前記制御回路は、
前記第１の運針速度の場合に、前記時針、前記分針、および前記秒針を前記ソーラー電源の電圧で駆動する、請求項１に記載の電子時計。
【請求項３】
前記制御回路は、
前記ソーラー電源の電圧値を判別するための第１閾値と前記第１閾値より小さい第２閾値との２つの閾値を有し、
前記ソーラー電源の電圧値と前記２つの閾値とを比較し、比較した結果に応じて前記第２の運針速度の場合に用いる電圧を切り替える、請求項１または請求項２に記載の電子時計。
【請求項４】
前記ソーラー電源の電圧値を検出する検出部、を備え、
前記制御回路は、
検出された前記ソーラー電源の電圧値が前記第１閾値より大きい場合に、前記第１の運針速度による駆動を前記ソーラー電源の電圧で駆動し、前記第２の運針速度による駆動を前記定電圧で行い、
検出された前記ソーラー電源の電圧値が前記第１閾値以下かつ前記第２閾値以上の場合に、前記第１の運針速度による駆動および前記第２の運針速度による駆動を前記ソーラー電源の電圧で行い、
検出された前記ソーラー電源の電圧値が前記第２閾値未満の場合に、前記第１の運針速度による駆動を前記ソーラー電源の電圧値より小さい電圧で行い、前記第２の運針速度による駆動を停止させるように切り換える、請求項３に記載の電子時計。
【請求項５】
指示を受け付ける入力部、を備え、
前記検出部は、
前記入力部が受け付けた指示が前記第２の運針速度による駆動を行う指示である場合、前記ソーラー電源の電圧値を検出する、請求項４に記載の電子時計。
【請求項６】
前記第２の運針速度による駆動は、駆動パルス幅が前記第２の運針速度の進行に伴って長くなる、請求項１から請求項５のいずれか１項に記載の電子時計。
【請求項７】
前記第２の運針速度で駆動させる前記回転体は、正転および逆転動作を含み、
前記制御回路は、
前記第１閾値および前記第２閾値それぞれの値を、正転または逆転動作に応じて選択および変更のうち少なくとも１つを行う、請求項３から請求項５のいずれか１項に記載の電子時計。
【請求項８】
ソーラー電源の電圧値を判別するための第１閾値と前記第１閾値より小さい第２閾値との２つの閾値を有し、第１の運針速度と、前記第１の運針速度より速い第２の運針速度とによって回転体を駆動して計時する電子時計の制御方法であって、
定電圧回路が、前記ソーラー電源から供給された電力を用いて、定電圧を生成する定電圧手順と、
制御回路が、前記第１の運針速度の場合に、前記ソーラー電源の電圧で前記回転体を駆動する手順と、
前記制御回路が、前記ソーラー電源の電圧値が前記第１閾値より大きい場合に、前記第１の運針速度による駆動を前記ソーラー電源の電圧で駆動し、前記第２の運針速度による駆動を前記定電圧で行う手順と、
前記制御回路が、前記ソーラー電源の電圧値が前記第１閾値以下かつ第２閾値以上場合に、前記第１の運針速度による駆動および前記第２の運針速度による駆動を前記ソーラー電源の電圧で行う手順と、
前記制御回路が、前記ソーラー電源の電圧値が前記第２閾値未満の場合に、前記第１の運針速度による駆動を前記ソーラー電源の電圧値より小さい電圧で行い、前記第２の運針速度による駆動を停止させるように切り換える手順と、
を含む電子時計の制御方法。
【発明の詳細な説明】
【技術分野】
【０００１】
本発明は、電子時計および電子時計の制御方法に関する。
【背景技術】
【０００２】
指針を用いて文字板上に時刻を表示するアナログ電子時計がある。アナログ電子時計では、タイマー機能やストップウォッチ機能を有しているものもある。このようなアナログ電子時計では、時刻の修正、タイマー機能やストップウォッチ機能において指針を初期位置に戻す場合に、指針の早送り動作が行われる。また、アナログ電子時計では、指針が正転方向とそれに対する逆転方向とにステッピングモータによって駆動される。なお、正転方向とは、時計回りの回転方向である。また、指針には、１２時間で１回転する時針、６０分間で１回転する分針、１分間で１回転する秒針、タイマー機能やストップウォッチ機能で用いられる機能針が含まれる。そして、ステッピングモータは、所定の駆動電圧及び所定の駆動周波数に応じたパルス幅の駆動パルスによって回転動作を行い、輪列機構を介して、各指針を駆動している。
【０００３】
例えば、特許文献１に記載のアナログ電子時計において、定電圧回路によって、電池電圧（約１．５８［Ｖ］）から約１．２［Ｖ］の低定電圧を生成する。そして、特許文献１に記載のアナログ電子時計では、生成された低定電圧を用いて、時刻表において指針を通常の速さで送る駆動と、ストップウォッチ機能において機能針の位置を早送りする駆動とを行う。なお、時刻表示において、時針と分針と秒針とを通常の速さで駆動することを、通常運針といい、指針を早送りの速さで駆動することを、早送り運針という。
【０００４】
また、近年、光エネルギーを太陽電池によって電気エネルギーに変換して、変換された電気エネルギーを二次電池に蓄えて、指針の駆動電力に用いるアナログ電子時計がある。この二次電池の電圧値は、例えば２．０〜２．６［Ｖ］である。このため、このようなアナログ電子時計では、レギュレータによって、二次電池の電圧を、例えば２．２Ｖの定電圧に変換して用いている。
【０００５】
例えば、特許文献２に記載のアナログ電子時計では、発電装置によって発電された電気エネルギーを蓄える二次電池の電圧値を検出する。そして、制御ロジック回路は、検出した電圧値が所定の値以上である場合、駆動回路に放電電流を流す制御を行うことで、放電制御を行う。これにより、特許文献２に記載のアナログ電子時計では、モータに供給される電圧を迅速に定電圧に低下させて利用する。このように、放電する理由は、脱調現象を防ぐためである。なお、脱調現象とは、入力されるパルスのエネルギーが目標から外れてしまうことでステッピングモータが所定の位置で静止できなくなる現象である。
【先行技術文献】
【特許文献】
【０００６】
【特許文献１】特開平２−１３８８９５号公報
【特許文献２】特開２０１２−１４５５９４号公報
【発明の概要】
【発明が解決しようとする課題】
【０００７】
しかしながら、特許文献１および特許文献２に記載の技術では、通常運針と早送り運針とに用いる駆動電圧が、定電圧であるため、アナログ電子時計の消費電流を、この定電圧に基づいた値までしか削減することができなかった。
【０００８】
本発明は、上記の問題点に鑑みてなされたものであって、通常運針と早送り運針とによって計時するアナログ電子時計において、消費電流を低減することができる電子時計および電子時計の制御方法を提供することを目的とする。
【課題を解決するための手段】
【０００９】
上記目的を達成するため、本発明の一態様に係る電子時計は、ソーラー電源と、前記ソーラー電源から供給された電力を用いて、定電圧を生成する定電圧回路と、第１の運針速度と、前記第１の運針速度より速い第２の運針速度とによって回転体を駆動して計時する制御回路と、を備え、前記制御回路は、前記第１の運針速度の場合に、前記ソーラー電源の電圧で前記回転体を駆動し、前記第２の運針速度の場合に、前記定電圧および前記ソーラー電源の電圧のうち一方の電圧で前記回転体を駆動するように選択する。
【００１０】
また、本発明の一態様に係る電子時計において、前記回転体は、時針、分針、および秒針を備え、前記時針、前記分針、前記秒針それぞれを駆動する複数のモータ、を備え、前記制御回路は、前記第１の運針速度の場合に、前記時針、前記分針、および前記秒針を前記ソーラー電源の電圧で駆動するようにしてもよい。
【００１１】
また、本発明の一態様に係る電子時計において、前記制御回路は、前記ソーラー電源の電圧値を判別するための第１閾値と前記第１閾値より小さい第２閾値との２つの閾値を有し、前記ソーラー電源の電圧値と前記２つの閾値とを比較し、比較した結果に応じて前記第２の運針速度の場合に用いる電圧を切り替えるようにしてもよい。
【００１２】
また、本発明の一態様に係る電子時計は、前記ソーラー電源の電圧値を検出する検出部、を備え、前記制御回路は、検出された前記ソーラー電源の電圧値が前記第１閾値より大きい場合に、前記第１の運針速度による駆動を前記ソーラー電源の電圧で駆動し、前記第２の運針速度による駆動を前記定電圧で行い、検出された前記ソーラー電源の電圧値が前記第１閾値以下かつ前記第２閾値以上の場合に、前記第１の運針速度による駆動および前記第２の運針速度による駆動を前記ソーラー電源の電圧で行い、検出された前記ソーラー電源の電圧値が前記第２閾値未満の場合に、前記第１の運針速度による駆動を前記ソーラー電源の電圧値より小さい電圧で行い、前記第２の運針速度による駆動を停止させるように切り換えるようにしてもよい。
【００１３】
また、本発明の一態様に係る電子時計は、指示を受け付ける入力部、を備え、前記検出部は、前記入力部が受け付けた指示が前記第２の運針速度による駆動を行う指示である場合、前記ソーラー電源の電圧値を検出するようにしてもよい。
【００１４】
また、本発明の一態様に係る電子時計において、前記第２の運針速度による駆動は、駆動パルス幅が前記第２の運針速度の進行に伴って長くなるようにしてもよい。
【００１５】
また、本発明の一態様に係る電子時計において、前記第２の運針速度で駆動させる前記回転体は、正転および逆転動作を含み、前記制御回路は、前記第１閾値および前記第２閾値それぞれの値を、正転または逆転動作に応じて選択および変更のうち少なくとも１つを行うようにしてもよい。
【００１６】
上記目的を達成するため、本発明の一態様に係る電子時計の制御方法は、ソーラー電源の電圧値を判別するための第１閾値と前記第１閾値より小さい第２閾値との２つの閾値を有し、第１の運針速度と、前記第１の運針速度より速い第２の運針速度とによって回転体を駆動して計時する電子時計の制御方法であって、定電圧回路が、前記ソーラー電源から供給された電力を用いて、定電圧を生成する定電圧手順と、制御回路が、前記第１の運針速度の場合に、前記ソーラー電源の電圧で前記回転体を駆動する手順と、前記制御回路が、前記ソーラー電源の電圧値が前記第１閾値より大きい場合に、前記第１の運針速度による駆動を前記ソーラー電源の電圧で駆動し、前記第２の運針速度による駆動を前記定電圧で行う手順と、前記制御回路が、前記ソーラー電源の電圧値が前記第１閾値以下かつ第２閾値以上場合に、前記第１の運針速度による駆動および前記第２の運針速度による駆動を前記ソーラー電源の電圧で行う手順と、前記制御回路が、前記ソーラー電源の電圧値が前記第２閾値未満の場合に、前記第１の運針速度による駆動を前記ソーラー電源の電圧値より小さい電圧で行い、前記第２の運針速度による駆動を停止させるように切り換える手順と、を含む。
【発明の効果】
【００１７】
本発明によれば、通常運針と早送り運針とによって計時するアナログ電子時計において、消費電流を低減することができる。
【図面の簡単な説明】
【００１８】
【図１】第１実施形態に係る電子時計の構成を示すブロック図である。
【図２】第１実施形態に係る電子時計の概略断面図である。
【図３】第１実施形態に係るモータの構成図である。
【図４】第１実施形態に係る二次電池における電圧値の変化の一例を説明する図である。
【図５】第１実施形態に係る通常送りと早送りについて説明する図である。
【図６】第１実施形態に係る電子時計の通常送りと早送りにおける処理の手順のフローチャートである。
【図７】従来技術に係る電子時計の通常送りと早送りにおける処理の手順のフローチャートである。
【図８】第２施形態に係る電子時計の構成を示すブロック図である。
【図９】第２実施形態に係る記憶部に記憶されている第１閾値と第２閾値の例を示す図である。
【図１０】第２実施形態に係る記憶部に記憶されている電池電圧と閾値と、通常送りに使用される電圧と、早送りに使用される電圧との関係を示す図である。
【図１１】第２実施形態に係る記憶部に記憶されている正転時と逆転時との定電圧の電圧値、第１閾値、第２閾値の一例を示す図である。
【図１２】第２実施形態に係る電池電圧値と通常送りとの関係、電池電圧値と早送りとの関係を説明する図である。
【図１３】第２実施形態に係る電子時計の通常送りと早送りにおける処理の手順のフローチャートである。
【図１４】第２実施形態の変形例における早送り駆動中の二次電池の電圧降下の例と、早送りパルスの例を示す図である。
【図１５】第２実施形態の変形例における記憶部に記憶されている情報の一例を示す図である。
【発明を実施するための形態】
【００１９】
［第１実施形態］
図１は、本実施形態に係る電子時計１の構成を示すブロック図である。また、図２は、本実施形態に係る電子時計１の概略断面図である。
なお、本実施形態の電子時計１は、指針で時刻をアナログ表示するアナログ電子時計である。
【００２０】
図１に示すように、電子時計１は、発振回路１０１、分周回路１０２、制御回路１０３、ソーラーパネル１０４、二次電池１０５、電源電圧検出回路１０６、定電圧回路１０７、早送りパルス生成部１０８、通常送りパルス生成部１０９、補助駆動パルス生成部１１０、モータ１１１、回転検出判定回路１１２、入力部１１３、文字板１２１、時針１２２、分針１２３、および秒針１２４を含んで構成されている。以下、時針１２２、分針１２３、および秒針１２４のいずれか１つを特定しない場合は、指針１２５をいう。
【００２１】
まず、図２を用いて、電子時計１内の各部品の配置等について説明する。
図２に示すように、電子時計１は、ソーラーパネル１０４、文字板１２１、時針１２２、分針１２３、秒針１２４、指針軸１２６、基板１３１、風防１４１、裏蓋１４２、ベゼル１４３、ケース１４４、およびベルト１４５を含んで構成される。図２において、電子時計１のベルト１４５の縁と平行な方向をｘ軸方向、ｘ軸と垂直な方向をｙ軸方向、電子時計１の厚み方向をｚ軸方向とする。
【００２２】
ケース１４４の内部には、ｚ軸方向に下方向から順番に、基板１３１、ソーラーパネル１０４、文字板１２１、指針軸１２６、時針１２２、分針１２３、および秒針１２４が組み込まれている。ケース１４４は、例えば略円筒状に形成され、表面側の開口にはベゼル１４３を介して風防１４１が取り付けられている。さらに、ケース１４４には、ベルト１４５が取り付けられている。ケース１４４の材質は、例えば樹脂、ゴム、金属（チタン等）、セラミック等である。
【００２３】
風防１４１は、文字板１２１や電子時計１の内部の部品を保護するために、ベゼル１４３によってケースに取り付けられている。風防１４１は、充電に必要な太陽光や照明の光を透過する材質で形成されている。風防１４１の材質は、例えば、無機ガラスやサファイヤガラスやプラスチックなどである。
【００２４】
文字板１２１は、ソーラーパネル１０４が充電に必要な太陽光や照明の光を透過する材質で形成されている。なお、文字板１２１は、充電に必要な太陽光や照明の光を透過するように、例えば微小な穴が複数形成されていてもよい。
ソーラーパネル１０４は、文字板１２１と基板１３１との間に配置されている。なお、ソーラーパネル１０４が半透明の透過型の場合、ソーラーパネル１０４は、文字板１２１と風防１４１との間に配置されていてもよい。
【００２５】
指針軸１２６は、時針１２２、分針１２３、および秒針１２４それぞれの軸を有している。指針軸１２６のそれぞれの軸には、時針１２２、分針１２３、および秒針１２４が、はめ込まれている。
なお、図１および図２に示した例では、モータ１１１によって駆動される回転体として、時針１２２、分針１２３、および秒針１２４を示したが、回転体は、数字や曜日等の文字が印字された円盤であってもよい。
【００２６】
基板１３１には、図１に示した発振回路１０１、分周回路１０２、制御回路１０３、電源電圧検出回路１０６、定電圧回路１０７、早送りパルス生成部１０８、通常送りパルス生成部１０９、補助駆動パルス生成部１１０、モータ１１１、および回転検出判定回路１１２が取り付けられている。また、基板１３１には、ソーラーパネル１０４、二次電池１０５（図１）、及び入力部１１３（図１）が接続されている。
【００２７】
裏蓋１４２は、電子時計１の裏面を保護する蓋である。裏蓋１４２の材質は、一例として樹脂、金属である。
ベゼル１４３は、風防１４１の周りに取り付けられた部品である。ベゼル１４３は、風防１４１の保護、防水性の確保する機能、または電子時計１の表示機能を補う印字等を有している。
ベルト１４５は、利用者の手首（腕）に装着されるために使用される。
【００２８】
図１に戻って、電子時計１の各機能部の説明をする。
入力部１１３は、ユーザによる操作の入力を受け付け、受け付けた操作内容を示す情報を制御回路１０３に出力する。入力部１１３は、竜頭（りゅうず）、ボタンである。また、入力部１１３は、不図示の携帯端末から情報を受信する通信装置を有していてもよい。
【００２９】
発振回路１０１は、水晶振動子を備え、水晶振動子の振動に基づいた所定周波数（例えば３２［ｋＨｚ］）の発振クロック信号を発生させる。発振回路１０１は、発生させた発振信号を分周回路１０２に出力する。
分周回路１０２は、発振回路１０１から入力された発振信号を分周して通常運針時に用いられる通常信号と、早送り運針時に用いられる早送り信号とを生成する。通常運針時に用いられる通常信号の駆動周波数は、例えば１［Ｈｚ］である。ここで、時刻表示において、時針と分針と秒針とを駆動することを、通常運針（第１の運針速度による駆動）といい、指針を早送りして駆動することを、早送り運針（第２の運針速度による駆動）という。早送り信号の限界駆動周波数は、例えば２５６［Ｈｚ］である。なお、限界駆動周波数
とは、モータ１１１が脱調現象を生じない最大の駆動周波数である。また、駆動周波数とは、モータ１１１を駆動するパルス信号の周波数である。分周回路１０２は、生成した通常信号と早送り信号とを制御回路１０３に出力する。
【００３０】
制御回路１０３には、二次電池１０５から電池電圧が供給される。また、制御回路１０３には、入力部１１３から、操作内容を示す情報が入力される。制御回路１０３は、入力された操作内容を示す情報が、早送り指示を示す情報の場合、二次電池１０５の電圧値を検出する指示を電源電圧検出回路１０６に出力する。制御回路１０３には、電圧値を検出する指示に応じて、電源電圧検出回路１０６から、電圧値を示す情報が入力される。制御回路１０３は、供給された電池電圧を定電圧回路１０７、通常送りパルス生成部１０９、および補助駆動パルス生成部１１０に供給する。また、制御回路１０３は、電圧値を示す情報が所定の電圧値以下の場合、供給された電池電圧を定電圧回路１０７への供給から、早送りパルス生成部１０８への供給に切り換える。なお、所定の電圧値は、例えば２．３［Ｖ］である。
制御回路１０３は、入力部１１３から早送りを示す情報が入力された場合、早送りパルスを生成する指示（以下、早送り指示という）を、早送りパルス生成部１０８に出力する。また、制御回路１０３は、入力部１１３から早送りを示す情報が入力されていない場合、通常送りパルスを生成する指示（以下、通常送り指示という）を、通常送りパルス生成部１０９に出力する。また、制御回路１０３は、回転検出判定回路１１２から入力された情報に基づいて、通常送りパルス信号を補正する必要があると判定した場合、パルス信号を補正するようにパルス幅を調整し、またはパルス信号の数を調整する補助駆動パルス信号の生成指示を、補助駆動パルス生成部１１０に出力する。
【００３１】
また、制御回路１０３は、ソーラーパネル１０４が発電した電気エネルギーの二次電池１０５への充電制御を行う。また、制御回路１０３は、二次電池１０５の過充電防止制御を行う。
さらに、制御回路１０３は、回転検出判定回路１１２から入力された誘起信号のパターンに基づいて、モータ１１１の回転状況を判定する。制御回路１０３は、判定した結果に基づいて、補正駆動を行う必要がある場合、補助駆動パルス生成部１１０に補正指示（以下、補助駆動指示という）を示す情報を出力する。
【００３２】
ソーラーパネル１０４は、光（太陽、照明など）を受光して電気エネルギーに変換する発電部として動作する。ソーラーパネル１０４は、変換した電気エネルギーを二次電池１０５に供給する。
二次電池１０５は、ソーラーパネル１０４から供給された電気エネルギーが、制御回路１０３の制御によって充電される電池である。二次電池１０５は、制御回路１０３に電力を供給する。
【００３３】
電源電圧検出回路１０６は、制御回路１０３から入力された電圧値を検出する指示に応じて、二次電池１０５の電圧値を検出し、検出した電圧値を示す情報を制御回路１０３に出力する。
定電圧回路１０７は、制御回路１０３から供給された電圧を、電源電圧の変動に依存しない所定の定電圧に変換し、変換した定電圧を早送りパルス生成部１０８に供給する。所定の定電圧とは、例えば２．３［Ｖ］である。
【００３４】
早送りパルス生成部１０８は、制御回路１０３から早送り指示が入力されたとき、制御回路１０３から供給された電池電圧、または定電圧回路１０７から供給された定電圧を用いて、制御回路１０３から入力された早送り指示に応じて、早送りパルス信号を生成する。ここで、早送りパルス信号は、二次電池１０５の電圧値が２．３［Ｖ］より高い場合、駆動電圧値が定電圧の２．３［Ｖ］であり、駆動周波数が例えば１２８［Ｈｚ］である。また、早送りパルス信号は、二次電池１０５の電圧値が２．３［Ｖ］以下の場合、駆動電圧値が二次電池１０５の電圧値（ただし２．３［Ｖ］以下）であり、駆動周波数が例えば１２８［Ｈｚ］である。早送りパルス生成部１０８は、生成した早送りパルス信号をモータ１１１に出力する。
なお、二次電池１０５の電圧をそのまま早送り動作に用いない理由は、駆動電圧を２．８［Ｖ］、駆動周波数を１２８［Ｈｚ］で指針１２５を駆動すると、モータ１１１に供給されるエネルギーが大きすぎるためモータ１１１に脱調現象が生じる場合があるからである。
【００３５】
通常送りパルス生成部１０９は、制御回路１０３から通常送り指示が入力されたとき、制御回路１０３から供給された電池電圧を用いて、制御回路１０３から入力された通常送り指示に応じて、通常送りパルス信号を生成する。ここで、通常送りパルス信号は、二次電池１０５の電圧値が２．３［Ｖ］より高い場合、駆動電圧値が二次電池１０５の電圧値（例えば２．６［Ｖ］〜２．３［Ｖ］）であり、駆動周波数が１［Ｈｚ］である。通常送りパルス生成部１０９は、生成した通常送りパルス信号をモータ１１１に出力する。
なお、通常送りの動作を定電圧の２．３［Ｖ］より高い電圧値の二次電池１０５の電圧で駆動した場合、駆動周波数が１［Ｈｚ］であるため、十分なロータ２０２（図３参照）の静止時間が得られることで、モータ１１１に脱調現象は、ほぼ生じない。このため、電子時計１は、二次電池１０５の電圧で通常送り動作を行っても、指針を安定して動作させることができる。
【００３６】
補助駆動パルス生成部１１０は、制御回路１０３から補助駆動指示が入力されたとき、制御回路１０３から供給された電池電圧を用いて、制御回路１０３から入力された補助駆動指示に応じて、補助駆動パルス信号を生成する。補助駆動パルス生成部１１０は、生成した補助駆動パルス信号をモータ１１１に出力する。
【００３７】
モータ１１１は、ステッピングモータである。モータ１１１は、早送りパルス生成部１０８から早送りパルス信号が入力された場合、入力された早送りパルス信号に応じて、指針１２５を駆動する。または、モータ１１１は、通常送りパルス生成部１０９から通常送りパルス信号が入力された場合、入力された通常送りパルス信号に応じて、指針１２５を駆動する。または、モータ１１１は、補助駆動パルス生成部１１０から補助駆動パルス信号が入力された場合、入力された補助駆動パルス信号に応じて、指針１２５を駆動する。
【００３８】
回転検出判定回路１１２は、モータ１１１の回転駆動時の自由振動によって発生する誘起信号を検出し、モータ１１１の回転状況（モータ１１１が回転したか否か等の駆動状態）を表す誘起信号のパターンを制御回路１０３に出力する。なお、回転検出判定回路１１２は、例えば、特開２００８−１５４３３６号公報に記載の手法を用いて、モータ１１１の回転状況を検出する。
【００３９】
時針１２２は、１２時間で１回転し、分針１２３は、６０分間で１回転し、秒針１２４は、１分間に１回転する。
【００４０】
なお、本実施形態では、制御回路１０３に二次電池１０５から電力が供給される例を説明したが、これに限られない。二次電池１０５の電力を定電圧回路１０７に供給し、定電圧回路１０７が、定電圧を制御回路１０３に供給するようにしてもよい。
【００４１】
次に、モータ１１１の構成と動作について説明する。
図３は、本実施形態に係るモータ１１１の構成図である。
図３に示すように、モータ１１１は、ロータ収容用貫通孔２０３を有するステータ２０１、ロータ収容用貫通孔２０３に回転可能に配設されたロータ２０２、ステータ２０１と接合された磁心２０８、磁心２０８に巻回されたコイル２０９を備えている。
モータ１１１では、ステータ２０１及び磁心２０８が、ネジ（図示せず）あるいは熱カシメによって地板（図示せず）に固定され、互いに接合される。コイル２０９は、第１端子ＯＵＴ１、第２端子ＯＵＴ２を有している。
【００４２】
ロータ２０２は、２極（Ｓ極及びＮ極）に着磁されている。磁性材料によって形成されたステータ２０１の外端部には、ロータ収容用貫通孔２０３を挟んで対向する位置に複数（図３の例では２個）の切り欠き部（外ノッチ）２０６、２０７が設けられている。各外ノッチ２０６、２０７とロータ収容用貫通孔２０３との間には、可飽和部２１０、２１１が設けられている。
【００４３】
可飽和部２１０、２１１は、ロータ２０２の磁束によっては磁気飽和せず、コイル２０９が励磁されたときに磁気飽和して磁気抵抗が大きくなるように構成されている。ロータ収容用貫通孔２０３は、輪郭が円形の貫通孔の対向部分に複数（図３の例では２つ）の半月状の切り欠き部（内ノッチ）２０４、２０５を一体形成した円孔形状に構成されている。
【００４４】
切り欠き部２０４、２０５は、ロータ２０２の停止位置を決めるための位置決め部を構成している。コイル２０９が励磁されていない状態では、ロータ２０２は、図３に示すように前記位置決め部に対応する位置に安定して停止している。すなわち、ロータ２０２の磁極軸Ａが、切り欠き部２０４、２０５を結ぶ線分と直交する位置（角度θ0位置）に安定して停止している。図３に示す例の角度θ0は、ｘ軸に対して約４５度である。ロータ２０２の回転軸（回転中心）を中心とするＸＹ座標空間を４つの象限（第１象限Ｉ〜第４象限ＩＶ）に区分している。
【００４５】
例えば、通常送りパルス生成部１０９から矩形波の通常送りパルス信号をコイル２０９の端子ＯＵＴ１とＯＵＴ２との間に供給して、図３の矢印方向に電流ｉを流すと、ステータ２０１には破線矢印方向に磁束が発生する。ここで、例えば、第１端子ＯＵＴ１側を正極、第２端子ＯＵＴ２側を負極とする。
これにより、可飽和部２１０、２１１が飽和して磁気抵抗が大きくなり、その後、ステータ２０１に生じた磁極とロータ２０２の磁極との相互作用によって、ロータ２０２は反計回り方向に１８０度回転し、磁極軸Ａが角度θ1位置で安定的に停止する。図３に示す例の角度θ1は、ｘ軸に対して約２２５度である。
【００４６】
次に、二次電池１０５における電圧値の変化について説明する。
図４は、本実施形態に係る二次電池１０５における電圧値の変化の一例を説明する図である。図４において、横軸は二次電池１０５の容量［ｍＡｈ］、縦軸は電圧値［Ｖ］である。曲線ｇ３０１は、二次電池１０５の電圧値対容量の関係を示している。図４に示す例では、ソーラーパネル１０４に光が照射されて、二次電池１０５が満（フル）充電された後、再充電が行われていない場合の例である。
【００４７】
図４に示す例では、容量がｃ１のとき、電圧値が２．６［Ｖ］である。容量がｃ１〜ｃ２の期間、曲線ｇ３０１に示すように、電圧値は、２．６［Ｖ］から２．３［Ｖ］に下がり、容量もｃ１［ｍＡｈ］からｃ２［ｍＡｈ］に下がる。そして、容量がｃ２〜ｃ３の期間、曲線ｇ３０１に示すように、電圧値は、ほぼ２．３［Ｖ］を維持する。そして、容量がｃ３以降、曲線ｇ３０１に示すように、電圧値は、２．３［Ｖ］から０［Ｖ］に向けて下がっていく。
【００４８】
本実施形態では、容量がｃ１〜ｃ２の第１の期間、符号ｇ３１１が示す領域の電気エネルギーを、通常送りパルス信号に用いる。符号ｇ３１１が示す領域のように、第１の期間制御回路１０３（図１）から通常送りパルス生成部１０９に供給される電圧値は、約２．６［Ｖ］〜２．３［Ｖ］に変化する。
容量がｃ２〜ｃ３の期間を、第２の期間とすると、第１の期間と第２の期間との比は、約４対６程度である。従来技術では、この第１の期間、二次電池１０５の電圧を定電圧に変換していたため、符号ｇ３１１が示す領域の電気エネルギーを有効に利用できていなかった。一方、本実施形態では、この第１の期間の電気エネルギーを、通常送りパルス信号に用いることで、有効利用することができる。
【００４９】
次に、通常送りと早送りについて説明する。
図５は、本実施形態に係る通常送りと早送りについて説明する図である。
図５に示すように、通常送りの場合は、電池電圧でモータ１１１を駆動し、このため駆動電圧の平均電圧値が２．６［Ｖ］である。このとき回転可能なレベルまでパルス幅を短くする駆動制御が取られている場合、指針を駆動するときのモータ１１１による消費電力が、１［μＷ］であるなら、駆動電圧の平均電圧値が２．６［Ｖ］の場合、消費電流は、約０．３８［μＡ］（＝１［μＷ］／２．６［Ｖ］）である。また、通常送りの場合、駆動周波数は、１［Ｈｚ］である。
【００５０】
ここで、仮に通常送りの駆動電圧を２．３Ｖの定電圧で駆動する場合の消費電力を説明する。この場合、消費電流は、約０．４３［μＡ］（＝１［μＷ］／２．３［Ｖ］）である。
このように、本実施形態では、通常送りを電池電圧で駆動するため、定電圧で駆動する場合と比較して、消費電流を約０．０５［μＡ］（＝０．４３［μＡ］−０．３８［μＡ］）低減することができる。消費電流を低減することで、フル充電された二次電池１０５により駆動できる時間を長くすることができる。充電中も通常送りによって電流が消費されていたので、通常送りの消費電流を低減することで、二次電池１０５への充電時間を短縮することができる。一般的に、時計の大きさが小さい女性用の電子時計１では、ソーラーパネル１０４の大きさが、男性用の電子時計１より小さい。このような場合、通常送りのときの消費電流の低減によって、充電時間の短縮と、二次電池１０５の電力による使用可能時間が伸びる効果は、利用者にとって非常に大きなメリットとなる。
また、回転可能なレベルまでパルス幅を短くする駆動制御でなく、回転に余裕がある範囲までパルス幅を短くする駆動制御においても同程度の有意差を維持することができる。
【００５１】
早送りの場合は、定電圧でモータ１１１を駆動し、このため駆動電圧の電圧値が２．３［Ｖ］である。指針を駆動するときのモータ１１１による消費電力は、約１［μＷ］であるため、消費電流は、約０．４３［μＡ］（＝１［μＷ］／２．３［Ｖ］）である。また、早送りの場合、限界駆動周波数は、２５６［Ｈｚ］である。なお、２５６［Ｈｚ］より高い駆動周波数では、モータ１１１に脱調現象が生じる場合があるため、本実施形態において２５６［Ｈｚ］が限界駆動周波数である。
なお、本実施形態では、早送りの駆動周波数を１６［Ｈｚ］以上で使用する。
【００５２】
次に、電子時計１の通常送りと早送りにおける処理の手順を説明する。
図６は、本実施形態に係る電子時計１の通常送りと早送りにおける処理の手順のフローチャートである。
（ステップＳ１）制御回路１０３は、入力部１１３から早送りを示す情報が入力されたか否かを判別する。制御回路１０３は、早送りを示す情報が入力された場合、早送りを行うと判別（ステップＳ１；ＹＥＳ）し、ステップＳ３に進める。また、制御回路１０３は早送りを示す情報が入力されていない場合、早送りを行わないと判別（ステップＳ１；ＮＯ）し、ステップＳ２に進める。
【００５３】
（ステップＳ２）制御回路１０３は、通常送りを行うため、通常送りパルス生成部１０９に電池電圧を供給し、通常送り指示を出力する。次に、通常送りパルス生成部１０９は、供給された電池電圧を用いて、入力された通常送り指示に応じて、通常送りパルス信号を生成する。次に、通常送りパルス生成部１０９は、生成した通常送りパルス信号をモータ１１１に出力することで、通常送りの速さで指針１２５を回転させるように駆動する。制御回路１０３は、通常送りの速さで指針１２５を駆動した後、処理をステップＳ１に戻す。
【００５４】
（ステップＳ３）制御回路１０３は、二次電池１０５の電圧値を検出するため、二次電池１０５の電圧値を検出する指示を電源電圧検出回路１０６に出力する。次に、制御回路１０３は、電源電圧検出回路１０６から電圧値を示す情報を受け取る。制御回路１０３は、処理をステップＳ４進める。
【００５５】
（ステップＳ４）制御回路１０３は、二次電池１０５の電圧値が２．３［Ｖ］より高い電圧値であるか否かを判別する。制御回路１０３は、２．３［Ｖ］より高い電圧値であると判別した場合（ステップＳ４；ＹＥＳ）、ステップＳ５に進め、２．３［Ｖ］以下の電圧値であると判別した場合（ステップＳ４；ＮＯ）、ステップＳ６に進める。
【００５６】
（ステップＳ５）制御回路１０３は、電池電圧を定電圧回路１０７に供給する。次に、制御回路１０３は、早送りパルス生成部１０８に、早送り指示を出力する。次に、定電圧回路１０７は、入力された電池電圧を定電圧に変換し、変換した定電圧を早送りパルス生成部１０８に供給する。次に、早送りパルス生成部１０８は、供給された定電圧を用いて、入力された早送り指示に応じて、早送りパルス信号を生成する。次に、早送りパルス生成部１０８は、生成した早送りパルス信号をモータ１１１に出力することで、早送りの速さで指針１２５を回転させるように駆動する。制御回路１０３は、早送りの速さで指針１２５を駆動した後、処理をステップＳ１に戻す。なお、ステップＳ５に示した処理の手順は一例であり、処理の順番は異なっていてもよい。
【００５７】
（ステップＳ６）制御回路１０３は、電池電圧を早送りパルス生成部１０８に供給する。次に、制御回路１０３は、早送りパルス生成部１０８に、早送り指示を出力する。次に、早送りパルス生成部１０８は、供給された電池電圧を用いて、入力された早送り指示に応じて、早送りパルス信号を生成する。次に、早送りパルス生成部１０８は、生成した早送りパルス信号をモータ１１１に出力することで、早送りの速さで指針１２５を回転させるように駆動する。制御回路１０３は、早送りの速さで指針１２５を駆動した後、処理をステップＳ１に戻す。なお、ステップＳ６に示した処理の手順は一例であり、処理の順番は異なっていてもよい。
電子時計１は、上述した通常送りの処理を１秒に一回行い、入力部１１３から早送りの指示があったときに早送りの処理を行う。
【００５８】
ここで、従来技術を用いた電子時計の動作の一例を説明する。
なお、従来技術に係る電子時計は、ソーラーパネル、二次電池、制御回路、電源電圧検出回路、定電圧回路、早送りパルス生成部、通常送りパルス生成部、補助駆動パルス生成部、モータ、回転検出判定回路、入力部、文字板、および指針を有している。
図１に示した電子時計１との差異は、通常送りで用いられる電圧である。また、電源電圧検出回路は、所定の時間間隔で、二次電池の電圧を計測し、計測した電圧値を示す情報を制御回路に出力しているとする。
【００５９】
図７は、従来技術に係る電子時計の通常送りと早送りにおける処理の手順のフローチャートである。
（ステップＳ１１）制御回路は、電源電圧検出回路から二次電池の電圧値を示す情報を受け取ることで、二次電池の電圧値を検出する。
（ステップＳ１２）制御回路は、二次電池の電圧値が２．３［Ｖ］より高い電圧値であるか否かを判別する。制御回路は、２．３［Ｖ］より高い電圧値であると判別した場合（ステップＳ１２；ＹＥＳ）、ステップＳ１３に進め、２．３［Ｖ］以下の電圧値であると判別した場合（ステップＳ１３；ＮＯ）、ステップＳ１４に進める。
【００６０】
（ステップＳ１３）制御回路は、電池電圧を定電圧回路に供給する。次に、制御回路は、入力部から早送り指示が入力された場合、早送りパルス生成部に早送り指示を出力し、入力部から早送り指示が入力されていない場合、通常送りパルス生成部に通常送り指示を出力する。次に、定電圧回路は、入力された電池電圧を定電圧に変換し、変換した定圧を早送りパルス生成部と通常送りパルス生成部とに供給する。次に、早送りパルス生成部は、早送りが入力された場合、供給された定電圧を用いて、入力された早送り指示に応じて、早送りパルス信号を生成する。次に、早送りパルス生成部は、生成した早送りパルス信号をモータに出力することで、指針を早送りで駆動する。または、通常送りパルス生成部は、早送りが入力されていない場合、供給された定電圧を用いて、入力された通常送り指示に応じて、通常送りパルス信号を生成する。次に、通常送りパルス生成部は、生成した通常送りパルス信号をモータに出力することで、指針を通常送りで駆動する。制御回路は、通常送り、または早送り後、処理をステップＳ１１に戻す。
【００６１】
（ステップＳ１４）制御回路は、電池電圧を早送りパルス生成部と通常送りパルス生成部とに供給する。次に、制御回路は、入力部から早送り指示が入力された場合、早送りパルス生成部に早送り指示を出力し、入力部から早送り指示が入力されていない場合、通常送りパルス生成部に通常送り指示を出力する。次に、早送りパルス生成部は、早送りが入力された場合、供給された電池電圧を用いて、入力された早送り指示に応じて、早送りパルス信号を生成する。次に、早送りパルス生成部は、生成した早送りパルス信号をモータに出力することで、指針を早送りで駆動する。または、通常送りパルス生成部は、早送りが入力されていない場合、供給された電池電圧を用いて、入力された通常送り指示に応じて、通常送りパルス信号を生成する。次に、通常送りパルス生成部は、生成した通常送りパルス信号をモータに出力することで、指針を通常送りで駆動する。制御回路は、通常送り、または早送り後、処理をステップＳ１１に戻す。
【００６２】
上述したように、従来技術の電子時計では、二次電池の電圧値が２．３［Ｖ］より高い電圧値であれば、通常送りと早送りとを定電圧で駆動していた。そして、二次電池の電圧値が２．３［Ｖ］以下であれば、通常送りと早送りとを電池電圧で駆動していた。このため、従来技術の電子時計では、図４の符号ｇ３１１に示した領域（第１領域）の電気エネルギーを有効に利用できていなかった。また、従来技術の電子時計では、二次電池の電圧値が２．３［Ｖ］より高い電圧値の場合、図７に示したように、通常送りも定電圧で駆動していたため、本実施形態の電子時計１と比較して通常送りのときの消費電流が多かった。なお、利用者が早送りの操作を行うのは、例えば時刻合わせのときであり、早送りの状態になる状態の頻度が、一般的に低い。一方、通常送りの状態は、計時を行っている状態のため、頻度が高い。このため、通常送りの消費電流が、電子時計の消費電流の大部分を占めている。このため、本実施形態の電子時計１では、図６を用いて説明したように、通常送りの動作を、電池の電圧を用いて行うことで、消費電流を低減することができる。特に、本実施形態では、当該第１領域を例えば太陽電池により出力される高電圧領域とできるので、通常運針時の消費電流を効率的に抑制することができる。よって、本実施形態では、駆動頻度の高い通常運針時の消費電流を抑えることで、早送りを行う電子時計においてもその電池寿命を効果的に長持ちさせることができるようになる。さらに、本実施形態では、早送り運針時には、通常運針時と同様の高電圧を用いないことで、早送り運針時に
もモータ１１１の脱調を抑えることができる。したがって、本実施形態によれば、低消費化と高速化とを同時に達成できる早送り駆動可能な電子時計１を提供することができる。
【００６３】
さらに、従来技術の電子時計では、電源電圧検出回路が、所定の時間間隔で二次電池の電圧値を検出していたので、電源電圧検出回路による消費電力が所定の時間間隔で発生していた。一方、本実施形態の電子時計１では、図６を用いて説明したように、早送り指示があった場合に、電源電圧検出回路へ二次電池の電圧値を検出する指示を行う。この結果、本実施形態の電子時計１では、早送り指示があった場合に電源電圧検出回路による電圧値の検出が行われるので、電源電圧検出回路の消費電力も低減することができる。
【００６４】
以上のように、本実施形態の電子時計１は、電池（例えばソーラーパネル１０４と二次電池１０５）と、電池から供給された電力を用いて、定電圧（例えば２．３［Ｖ］）を生成する定電圧回路（例えば定電圧回路１０７）と、第１の運針速度（例えば通常送りで駆動する速度）と第２の運針速度（例えば早送りで駆動する速度）とによって回転体（例えば指針または円盤）を駆動して計時する制御回路（例えば制御回路１０３）と、を備え、制御回路は、第１の運針速度の場合に、定電圧の電圧値以上である第１領域（例えば図４の符号ｇ３１１が示す領域）を含む電池の電圧（例えば２．６［Ｖ］〜２．３［Ｖ］）で回転体を駆動し、第２の運針速度の場合に、定電圧で回転体を駆動する。
【００６５】
この構成によって、本実施形態の電子時計１は、通常送りを行うときのモータ１１１の消費電流を定電圧で駆動する従来技術の電子時計より低減することができる。これにより、本実施形態の電子時計１では、二次電池１０５による駆動時間を従来技術の電子時計より長くすることができる。さらに、本実施形態の電子時計１では、充電中も通常送りの動作が行われているため、通常送りを行うときのモータ１１１の消費電流を低減することで、二次電池への充電時間を短くすることができる。
【００６６】
また、本実施形態の電子時計１において、電池（例えばソーラーパネル１０４と二次電池１０５）の電圧値を検出する検出部（例えば電源電圧検出回路１０６）、を備え、制御回路（例えば制御回路１０３）は、検出された電池の電圧値が定電圧（例えば２．３［Ｖ］）の電圧値以上である第１領域（例えば、図４において容量がｃ１〜ｃ３の領域）の場合に、第２の運針速度による駆動（例えば早送り）を定電圧で行い、検出された電池の電圧値が定電圧の電圧値以下の第２領域（例えば、図４において容量がｃ３以下の領域）の場合に、第２の運針速度による駆動を電池の電圧で行うように切り換える。
【００６７】
この構成によって、本実施形態の電子時計１は、二次電池１０５の電圧値が定電圧より高い場合、従来技術のように放電したり定電圧に変換したりせずに、二次電池１０５の電圧をそのまま使用するので、図４の符号ｇ３１１に示した領域（第１領域）の電気エネルギーを有効利用することができる。
【００６８】
また、本実施形態の電子時計１において、利用者の操作を受け付ける入力部（例えば入力部１１３）、を備え、検出部（例えば電源電圧検出回路１０６）は、入力部が受け付けた操作が第２の運針速度による駆動（例えば早送り）を行う指示である場合、前記電池の電圧値を検出する。
【００６９】
この構成によって、本実施形態の電子時計１は、早送り指示があった場合に、電源電圧検出回路へ二次電池の電圧値を検出する指示を行う。この結果、本実施形態の電子時計１では、早送り指示があった場合に電源電圧検出回路による電圧値の検出が行われるので、電源電圧検出回路の消費電力も低減することができる。
【００７０】
また、本実施形態の電子時計１において、第１の運針速度による駆動（例えば通常送り）は、計時に応じた速さで回転体（例えば指針または円盤）を回転させ、第２の運針速度による駆動（例えば早送り）は、第１の運針速度より速く、回転体を所定の位置（例えば初期位置、１２時を示す位置）に回転させる。
この構成によって、本実施形態の電子時計１は、通常送りの場合は、計時に応じた速さで指針や円盤を回転させ、早送りの場合は、通常送りの場合より速く、指針や円盤を所定の位置に回転させることができる。
【００７１】
また、本実施形態の電子時計１において、第２の運針速度（例えば早送りで駆動する速度）は、回転体（例えば指針または円盤）の脱調を抑制できる周波数で駆動される速度である。
この構成によって、本実施形態の電子時計１は、指針や円盤の脱調を抑制できる。
【００７２】
また、本実施形態の電子時計１において、第２の運針速度で駆動（例えば早送り）させる回転体（例えば指針または円盤）は、正転及び逆転動作を含む。
この構成によって、本実施形態の電子時計１は、早送りで駆動させる指針や円盤を、正回転方向または逆回転方向に回転させて、指針や円盤を所定の位置に回転させることができる。
【００７３】
［第２実施形態］
第１実施形態では、制御回路が、通常送りを電池電圧で駆動し、電池電圧の電圧値（以下、電池電圧値ともいう）が定電圧（例えば２．３Ｖ）の電圧値（以下、定電圧値ともいう）より高い場合に電池電圧で早送りし、電池電圧値が定電圧値以下の場合に低電圧で早送りする例を説明した。本実施形態では、電池電圧値に対する２つの閾値を用いて、制御回路が通常送りと早送りを制御する例を説明する。
【００７４】
図８は、本実施形態に係る電子時計１Ａの構成を示すブロック図である。図８に示すように、電子時計１Ａは、発振回路１０１、分周回路１０２、制御回路１０３Ａ、ソーラー電源１５１、電源電圧検出回路１０６、定電圧回路１０７Ａ、早送りパルス生成部１０８Ａ、通常送りパルス生成部１０９Ａ、補助駆動パルス生成部１１０、モータ１１１Ａ、回転検出判定回路１１２、入力部１１３Ａ、記憶部１１５、文字板１２１、時針１２２、分針１２３、および秒針１２４を含んで構成されている。また、ソーラー電源１５１は、ソーラーパネル１０４、二次電池１０５を備える。また、第１実施形態においても、ソーラーパネル１０４と二次電池１０５を、ソーラー電源ともいう。なお、電子時計１と同じ機能を有する機能部には、同じ符号を用いて説明を省略する。
また、電子時計１Ａは、端末３と接続されて、端末３から指示を受け取る。なお、本実施形態では、電子時計１Ａが端末３と近距離通信、例えばＢｌｕｅｔｏｏｔｈ（登録商標）  ＬＥ（Ｌｏｗ  Ｅｎｅｒｇｙ、以下、ＢＬＥという）規格の通信方式によって無線通信を行う例を説明するが、通信方式は、他の無線通信方式であってもよく、有線通信方式であってもよい。
【００７５】
＜端末３の構成＞
まず、端末３について説明する。
端末３は、ＢＬＥ規格の通信方式の通信機能を有する端末であり、例えばスマートフォン、タブレット端末、携帯ゲーム機器等である。
端末３は、制御部３０１、通信部３０２、アンテナ３０３、表示部３０４、タッチパネル部３０５を備えている。
【００７６】
制御部３０１は、端末３の各機能部を制御する。制御部３０１は、端末３にインストールされているアプリケーションや設定に応じた画像を表示部３０４に表示させる。なお、アプリケーションや設定には、ＢＬＥ規格の通信方式のペアリング開始の指示、時刻合わせ指示等が含まれている。制御部３０１は、タッチパネル部３０５が検出した操作結果を受け取る。制御部３０１は、操作結果に応じて、通信部３０２、アンテナ３０３を介して、ＢＬＥ規格の通信方式で電子時計１Ａとの通信を行う。なお、電子時計１Ａの通信には、例えば、電子時計１Ａと端末３とのペアリング処理のための通信、端末３から電子時計１Ａへの指示、電子時計１Ａから端末３への応答等が含まれている。
【００７７】
通信部３０２は、制御部３０１の制御に基づいて、アンテナ３０３を介して電子時計１Ａと情報４の送受信を行う。
アンテナ３０３は、通信部３０２が出力する２．４［ＧＨｚ］帯の電気信号を電波として空間に送信する。また、アンテナ３０３は、電子時計１Ａが送信した２．４［ＧＨｚ］帯の電波を受信し、受信した電波を電気信号に変換して通信部３０２に出力する。
【００７８】
表示部３０４は、制御部３０１が出力した画像を表示する。表示部３０４は、例えば液晶パネルであり、バックライトを有している。
タッチパネル部３０５は、表示部３０４の上に設けられているタッチパネル方式のセンサであり、利用者による操作を検出し、検出した操作結果を制御部３０１に出力する。
【００７９】
＜電子時計１Ａの構成＞
次に、電子時計１Ａについて説明する。
二次電池１０５は、ソーラーパネル１０４（ソーラーセルともいう）から供給された電気エネルギーが充電された電圧ＶBの電力を、制御回路１０３Ａに供給し、電源電圧検出回路１０６に出力する。
定電圧回路１０７Ａは、変換した定電圧を早送りパルス生成部１０８Ａと通常送りパルス生成部１０９Ａに供給する。
【００８０】
モータ１１１Ａは、モータ１１１１、モータ１１１２、およびモータ１１１３を備えている。
モータ１１１１は、早送りパルス生成部１０８Ａが出力した早送りパルス信号、または通常送りパルス生成部１０９Ａが出力した通常送りパルス信号に応じて、時針１２２を駆動する。
モータ１１１２は、早送りパルス生成部１０８Ａが出力した早送りパルス信号、または通常送りパルス生成部１０９Ａが出力した通常送りパルス信号に応じて、分針１２３を駆動する。
モータ１１１３は、早送りパルス生成部１０８Ａが出力した早送りパルス信号、または通常送りパルス生成部１０９Ａが出力した通常送りパルス信号に応じて、秒針１２４を駆動する。
【００８１】
早送りパルス生成部１０８Ａは、制御回路１０３Ａから早送り指示ＤFが入力されたとき、制御回路１０３Ａから供給された電池電圧ＶB、または定電圧回路１０７Ａから供給された定電圧ＶCを用いて、制御回路１０３Ａから入力された早送り指示ＤFに応じて、早送りパルス信号を生成する。ここで、二次電池１０５の電圧値が２．３［Ｖ］より高い場合、駆動電圧値が定電圧の２．３［Ｖ］であり、また、二次電池１０５の電圧値が２．３［Ｖ］以下の場合、駆動電圧値が二次電池１０５の電圧値（ただし２．３［Ｖ］以下）である。早送りパルス生成部１０８Ａは、生成した早送りパルス信号をモータ１１１Ａに出力する。
【００８２】
通常送りパルス生成部１０９Ａは、制御回路１０３Ａから通常送り指示ＤNが入力されたとき、制御回路１０３Ａから供給された電池電圧ＶBを用いて、制御回路１０３Ａから入力された通常送り指示に応じて、秒針１２４を駆動する通常送りパルス信号を生成する。また、通常送りパルス生成部１０９Ａは、制御回路１０３Ａから通常送り指示ＤNが入力されたとき、定電圧回路１０７Ａから供給された定電圧ＶCを用いて、制御回路１０３Ａから入力された通常送り指示に応じて、分針１２３および時針１２２を駆動する通常送りパルス信号を生成する。通常送りパルス生成部１０９Ａは、生成した通常送りパルス信号をモータ１１１Ａに出力する。
【００８３】
なお、時刻表示を行うとき、例えば、秒針１２４は１秒に１回駆動され、分針１２３は１０秒に１回駆動され、時針１２２は１０分に１回駆動される。このように、消費電力に最も影響しているのは秒針１２４の駆動である。このため、本実施形態では、通常駆動時、秒針１２４のみを電池電圧ＶBで駆動することで、電池の電力を有効に使用することができる。さらに、本実施形態によれば、電池電圧ＶBが定電圧ＶCより高い場合であっても、分針１２３および時針１２２を定電圧ＶCで駆動することで、分針１２３および時針１２２を安定したトルクで駆動することができる。
なお、第１実施形態においても、電池電圧ＶBが定電圧ＶCより高い場合は、秒針１２４のみ電池電圧ＶBで駆動し、分針１２３および時針１２２を定電圧ＶCで駆動するようにしてもよい。
【００８４】
記憶部１１５には、図９に示すように第１閾値としてＶref1、第２閾値としてＶref2が記憶されている。図９は、本実施形態に係る記憶部１１５に記憶されている第１閾値と第２閾値の例を示す図である。また、図１０は、本実施形態に係る記憶部１１５に記憶されている電池電圧と閾値と、通常送りに使用される電圧と、早送りに使用される電圧との関係を示す図である。また、記憶部１１５には、図１０に示すように、電池電圧値と閾値（第１閾値Ｖref1、第２閾値Ｖref2）と通常送りの秒針送りに使用される電圧、電池電圧値と閾値と早送りに使用される電圧が対応付けられて記憶されている。図１０に示すように、電池電圧値が第１閾値Ｖref1より大きい場合、通常送りの秒針送りに使用される電圧は電池電圧であり、早送りに使用される電圧は定電圧である。また、電池電圧値が第１閾値Ｖref1以下かつ第２閾値Ｖref2以上の場合、通常送りの秒針送りに使用される電圧は電池電圧であり、早送りに使用される電圧は電池電圧である。さらに、電池電圧値が第２閾値Ｖref2より小さい場合、通常送りの秒針送りに使用される電圧は電池電圧であり、早送りには電圧が供給されない。なお、第１閾値Ｖref1の電圧値は、例えば２．６［Ｖ］であり、第２閾値Ｖref2の電圧値は、例えば２．０［Ｖ］である。
なお、上述した各閾値の値は一例であり、これに限られない。第１閾値Ｖref1の電圧値は、例えば２．４〜２．２［Ｖ］の範囲の値であってもよく、第２閾値Ｖref2の電圧値は、例えば２．１〜１．９［Ｖ］の範囲の値であってもよい。
【００８５】
なお、モータ１１１の駆動の仕方が正転時と逆転時とで異なる場合（例えば、特開２０１４−１１７０２８号公報参照）、モータ１１１の駆動に必要な電圧値が異なる場合がある。このような場合、定電圧ＶC、第１閾値Ｖref1、および第２閾値Ｖref2は、図１１に示すように、正転時と逆転時とで異なっていてもよい。図１１は、本実施形態に係る記憶部１１５に記憶されている正転時と逆転時との定電圧の電圧値、第１閾値、第２閾値の一例を示す図である。図１１に示すように、記憶部１１５には、正転時の定電圧の電圧値、第１閾値、第２閾値が対応付けられて記憶され、また、逆転時の定電圧の電圧値、第１閾値、第２閾値が対応付けられて記憶されている。この場合、制御回路１０３Ａは、回転検出判定回路１１２によって検出された回転方向、または、入力部１１３Ａから入力された指示に応じた回転方向に応じて、定電圧ＶC、第１閾値Ｖref1、および第２閾値Ｖref2は、正転時と逆転時とで切り替えるようにしてもよい。または、逆転時、制御回路１０３Ａは、例えば、正転時の第２閾値Ｖref2のみを選択して、選択した第２閾値を用いて、通常送りに使用する電圧、早送りに使用する電圧を切り替えるようにしてもよい。例えば、電池電圧値が第２閾値Ｖref2以上のときは、通常送りと早送りに電池電圧を使用するようにしてもよい。そして、電池電圧が第２閾値Ｖref2以下のときは、低電圧動作モードで通常送りを行い、早送りを停止または行わないようにしてもよい。
なお、制御回路１０３Ａは、例えば現在の表示時刻と、入力部１１３Ａが出力した時刻合わせのための時刻とを比較することで、モータ１１１を正転させるか逆転させるか判別するようにしてもよい。
【００８６】
図８に戻って、電子時計１Ａの説明を続ける。
入力部１１３Ａは、通信部１１３１、アンテナ１１３２を備えている。
通信部１１３１は、制御回路１０３Ａの制御に応じて、アンテナ１１３２を介して端末３との通信を行う。
アンテナ１１３２は、通信部１１３１が出力する２．４［ＧＨｚ］帯の電気信号を電波として空間に送信する。また、アンテナ１１３２は、端末３が送信した２．４［ＧＨｚ］帯の電波を受信し、受信した電波を電気信号に変換して通信部１１３１に出力する。
なお、入力部１１３Ａは、竜頭やプッシュスイッチ等を備えていてもよい。利用者は、竜頭を操作して時刻合わせを行うようにしてもよく、または、時刻合わせの指示を、端末３を操作して行い、端末３から電子時計１Ａに早送り指示を送信するようにしてもよい。
【００８７】
制御回路１０３Ａは、制御回路１０３の処理のうち、入力部１１３Ａから情報が入力された際に行う処理の代わりに以下の処理を行う。制御回路１０３Ａは、入力部１１３Ａから、ペアリング指示が入力された場合、ＢＬＥ規格の通信方式に従って、ペアリング処理を行う。
【００８８】
制御回路１０３Ａは、入力部１１３Ａから早送りを示す情報が入力された場合、電池電圧値と第１閾値Ｖref1または第２閾値Ｖref2とを比較する。制御回路１０３Ａは、電池電圧値が第１閾値Ｖref1以上の場合、定電圧回路１０７Ａに電池電圧を供給する。制御回路１０３Ａは、電池電圧値が第１閾値Ｖref1未満かつ第２閾値Ｖref2より大きいの場合、早送りパルス生成部１０８Ａに電池電圧を供給する。制御回路１０３Ａは、電池電圧値が第２閾値Ｖref2以下の場合、定電圧回路１０７Ａおよび早送りパルス生成部１０８Ａに電池電圧を供給しない。また、制御回路１０３Ａは、入力部１１３Ａから早送りを示す情報が入力された場合、早送り指示ＤFを早送りパルス生成部１０８Ａに出力する。
【００８９】
制御回路１０３Ａは、通常送り状態の場合、通常送りパルス生成部１０９Ａに電池電圧を供給する。また、制御回路１０３Ａは、電池電圧値と第１閾値Ｖref1または第２閾値Ｖref2とを比較する。制御回路１０３Ａは、電池電圧値が第２閾値Ｖref2より大きい場合、秒針１２４を１秒に一回送るようにパルスを生成する指示ＤNを通常送りパルス生成部１０９Ａに出力する。制御回路１０３Ａは、電池電圧値が第２閾値Ｖref2以下の場合、秒針１２４を２秒のうち、最初の１秒以内に２回送る（低電圧動作モード）ようにパルスを生成する指示ＤNを通常送りパルス生成部１０９Ａに出力する。
【００９０】
早送りパルス生成部１０８Ａは、制御回路１０３Ａから早送り指示ＤFが入力されたとき、制御回路１０３Ａから供給された電池電圧ＶBまたは定電圧回路１０７Ａから供給された定電圧ＶCを用いて、早送りパルス信号を生成する。早送りパルス生成部１０８Ａは、生成した早送りパルス信号をモータ１１１に出力する。なお、早送りパルス生成部１０８Ａは、電池電圧ＶBまたは定電圧ＶCが供給されていない場合、早送りパルス信号を生成しない。
【００９１】
通常送りパルス生成部１０９Ａは、制御回路１０３Ａから通常送り指示ＤNが入力されたとき、制御回路１０３Ａから供給された電池電圧ＶBを用いて、通常送りパルス信号を生成する。通常送りパルス生成部１０９Ａは、生成した通常送りパルス信号をモータ１１１に出力する。具体的には、秒針１２４を１秒に一回送るようにパルスを生成する指示ＤNが入力されたとき、通常送りパルス生成部１０９Ａは、秒針１２４を１秒に一回送るようにパルスを生成する。または、秒針１２４を２秒のうち、最初の１秒以内に２回送るようにパルスを生成する指示ＤNが入力されたとき、通常送りパルス生成部１０９Ａは、秒針１２４を２秒のうち、最初の１秒以内に２回送るようにパルスを生成する。
【００９２】
すなわち、本実施形態では、通常送りパルス生成部１０９Ａには、電池電圧ＶBの電圧に関わらず、制御回路１０３Ａから電池電圧ＶBが供給される。
一方、早送りパルス生成部１０８Ａには、電池電圧ＶBが第１閾値Ｖref1より大きい場合、定電圧回路１０７Ａを介して定電圧ＶCが供給される。また、早送りパルス生成部１０８Ａには、電池電圧ＶBが第１閾値Ｖref1以下かつ第２閾値Ｖref2以上の場合、電池電圧ＶBが供給される。さらに、早送りパルス生成部１０８Ａには、電池電圧ＶBが第２閾値Ｖref2より小さい場合、電池電圧ＶBおよび定電圧ＶCが供給されない。
【００９３】
＜電池電圧値と通常送りとの関係、電池電圧値と早送りとの関係＞
次に、電池電圧値と通常送りとの関係、電池電圧値と早送りとの関係を説明する。
図１２は、本実施形態に係る電池電圧値と通常送りとの関係、電池電圧値と早送りとの関係を説明する図である。図１２の縦軸と横軸は、図４と同様である。
【００９４】
電池電圧値が第１閾値Ｖref1より大きい場合（容量がｃ１１〜ｃ１２の区間）、電池電圧ＶBを用いて通常送り駆動され、定電圧ＶCを用いて早送り駆動される。例えば、秒針１２４が、電池電圧ＶBを用いて生成された通常送りパルスによって、１秒に一回駆動され、指針１２５が、定電圧ＶCを用いて生成された早送りパルスによって駆動される。
【００９５】
電池電圧値が第１閾値Ｖref1以下かつ第２閾値Ｖref2以上の場合、電池電圧ＶBを用いて通常送り駆動され、電池電圧ＶBを用いて早送り駆動される。例えば、秒針１２４が、電池電圧ＶBを用いて生成された通常送りパルスによって、１秒に一回駆動され、指針１２５が、電池電圧ＶBを用いて生成された早送りパルスによって駆動される。
【００９６】
電池電圧値が第２閾値Ｖref2より小さい場合、電池電圧ＶBを用いて低電圧モードで通常送り駆動される。例えば、秒針１２４が、電池電圧ＶBを用いて２秒のうち、最初の１秒以内に２回駆動され、指針１２５が、早送り駆動されず、早送り動作が停止する。
【００９７】
＜通常送りと早送りにおける処理の手順＞
次に、電子時計１Ａの通常送りと早送りにおける処理の手順を説明する。
図１３は、本実施形態に係る電子時計１Ａの通常送りと早送りにおける処理の手順のフローチャートである。
【００９８】
（ステップＳ１０１）制御回路１０３Ａは、二次電池１０５の電圧値を検出するため、二次電池１０５の電圧値を検出する指示を電源電圧検出回路１０６に出力する。次に、制御回路１０３Ａは、電源電圧検出回路１０６から電池電圧値を示す情報を受け取る。
（ステップＳ１０２）制御回路１０３Ａは、受け取った電池電圧値と第１閾値Ｖref1および第２閾値Ｖref2とを比較する。
【００９９】
（ステップＳ１０３）制御回路１０３Ａは、電池電圧値が第１閾値Ｖref1より大きい場合、ステップＳ１０４に処理を進め、電池電圧値が第１閾値Ｖref1以上かつ第２閾値Ｖref2以下の場合、ステップＳ１０７に処理を進める。制御回路１０３Ａは、電池電圧値が第２閾値Ｖref2より小さい場合、ステップＳ１０９に処理を進める。
【０１００】
（ステップＳ１０４）制御回路１０３Ａは、入力部１１３Ａから早送りを示す情報が入力されたか否かを判別する。制御回路１０３Ａは、早送りを示す情報が入力された場合、早送りを行うと判別し（ステップＳ１０４；ＹＥＳ）、ステップＳ１０５に処理を進める。また、制御回路１０３Ａは早送りを示す情報が入力されていない場合、早送りを行わないと判別（ステップＳ１０４；ＮＯ）し、ステップＳ１０６に処理を進める。
【０１０１】
（ステップＳ１０５）制御回路１０３Ａは、早送りパルス生成部１０８Ａに定電圧ＶCを用いて早送りパルスを生成する指示ＤFを出力し、生成された早送りパルスを用いて指針１２５を早送り駆動する。早送り処理終了後、制御回路１０３Ａは、ステップＳ１０１に処理を戻す。
【０１０２】
（ステップＳ１０６）制御回路１０３Ａは、通常送りパルス生成部１０９Ａに電池電圧ＶBを用いて通常送りパルスを生成する指示ＤNを出力し、生成された通常送りパルスを用いて秒針１２４を通常送り駆動する。通常送り処理終了後、制御回路１０３Ａは、ステップＳ１０１に処理を戻す。
【０１０３】
（ステップＳ１０７）制御回路１０３Ａは、入力部１１３Ａから早送りを示す情報が入力されたか否かを判別する。制御回路１０３Ａは、早送りを示す情報が入力された場合、早送りを行うと判別し（ステップＳ１０７；ＹＥＳ）、ステップＳ１０８に処理を進める。また、制御回路１０３Ａは早送りを示す情報が入力されていない場合、早送りを行わないと判別（ステップＳ１０７；ＮＯ）し、ステップＳ１０６に処理を進める。
【０１０４】
（ステップＳ１０８）制御回路１０３Ａは、早送りパルス生成部１０８Ａに電池電圧ＶBを用いて早送りパルスを生成する指示ＤFを出力し、生成された早送りパルスを用いて指針１２５を早送り駆動する。早送り処理終了後、制御回路１０３Ａは、ステップＳ１０１に処理を戻す。
【０１０５】
（ステップＳ１０９）制御回路１０３Ａは、入力部１１３Ａから早送りを示す情報が入力されたか否かを判別する。制御回路１０３Ａは、早送りを示す情報が入力された場合、早送りを行うと判別し（ステップＳ１０９；ＹＥＳ）、ステップＳ１１０に処理を進める。また、制御回路１０３Ａは早送りを示す情報が入力されていない場合、早送りを行わないと判別（ステップＳ１１０；ＮＯ）し、ステップＳ１１１に処理を進める。
【０１０６】
（ステップＳ１１０）制御回路１０３Ａは、早送りパルス生成部１０８Ａに電池電圧ＶBおよび定電圧ＶCを供給しない。そして、制御回路１０３Ａは、指針１２５を早送り駆動しない。制御回路１０３Ａは、ステップＳ１０１に処理を戻す。
（ステップＳ１１１）制御回路１０３Ａは、通常送りパルス生成部１０９Ａに電池電圧ＶBを用いて通常送りパルスを生成する指示ＤNを出力し、生成された通常送りパルスを用いて秒針１２４を低電圧動作モードで通常送り駆動する。低電圧動作モードによる通常送り処理終了後、制御回路１０３Ａは、ステップＳ１０１に処理を戻す。
【０１０７】
＜第２実施形態の変形例＞
次に、本実施形態の変形例を説明する。
図１４は、本実施形態の変形例における早送り駆動中の二次電池１０５の電圧降下の例と、早送りパルスの例を示す図である。
時刻を合わせるときに早送りを行うと、図１４の曲線ｇ４０１に示すように、早送り駆動中、二次電池１０５の電圧が時刻と共に下がっていく。
このため、制御回路１０３Ａは、早送り駆動中の電圧値を電源電圧検出回路１０６から取得する。そして、制御回路１０３Ａは、取得した電圧値に応じて、図１４の符号ｇ４１１で囲んだ領域に示すように、パルス幅（Ｌ１、Ｌ２、Ｌ３）を変更する指示を早送りパルス生成部１０８Ａに出力する。
早送りパルス生成部１０８Ａは、制御回路１０３Ａが出力したパルス幅を変更する指示に応じて、時刻と共にパルス幅を変更する。
【０１０８】
早送りを周波数ｆH［Ｈｚ］で行う場合の例を、図１３を参照して説明する。
二次電池１０５の電圧値がＶ1のとき、デューティ比が５０％であるとする。
早送りパルス生成部１０８Ａは、二次電池１０５の電圧値がＶ1のとき、パルス幅がＬ１｛＝（１／ｆH）／２｝の早送りパルス信号を生成する。
二次電池１０５の電圧値がＶ1からＶ2（Ｖ2はＶ1未満）に下がったとき、早送りパルス生成部１０８Ａは、パルス幅がＬ２｛＝（Ｖ1×（１／ｆH）／２）／Ｖ2｝の早送りパルス信号を生成する。電圧値がＶ2のときのパルス幅Ｌ２は、電圧値Ｖ1のときのパルス幅Ｌ１よりＶ1／Ｖ2だけ長い。
さらに、二次電池１０５の電圧値がＶ2からＶ3（Ｖ3はＶ2未満）に下がったとき、早送りパルス生成部１０８Ａは、パルス幅がＬ３｛＝（Ｖ1×（１／ｆH）／２）／Ｖ3｝の早送りパルス信号を生成する。電圧値がＶ3のときのパルス幅Ｌ３は、電圧値Ｖ1のときのパルス幅Ｌ１よりＶ1／Ｖ3だけ長い。
【０１０９】
すなわち、変形例では、早送り駆動時、二次電池１０５の電圧の低下に応じて、早送りパルス幅を広げるように制御回路１０３Ａが制御する。これにより、電圧が低下した場合であっても、早送り駆動を開始したときと同等のエネルギーを用いて、早送り駆動を行って時刻合わせを行うことができる。
なお、一般的に、早送りを行って時刻合わせを行う場合、数秒〜数十秒、長くても１分以内で作業が終了する。このため、電圧が低下しても、例えば１分の間、早送り駆動を行えれば、時刻合わせを行うことが可能になる。
変形例において、二次電池１０５の電圧が第２閾値Ｖref2以下になった場合であっても、例えば１分の間、二次電池１０５の電圧値に応じて早送りパルス幅を変更して早送り駆動を行うようにしてもよい。
【０１１０】
上述した例では、制御回路１０３Ａが、電源電圧検出回路１０６によって検出された二次電池１０５の電圧値を用いて、早送りパルス幅を算出する例を説明したが、これに限られない。図１４に示すように、二次電池１０５の電圧値と、早送りパルス幅とが対応付けられて記憶部１１５に記憶されていてもよい。この場合、制御回路１０３Ａは、取得した電圧値に対応する早送りパルス幅を記憶部１１５から読み出し、読み出した早送りパルス幅を示す情報を早送りパルス生成部１０８Ａに出力するようにしてもよい。
また、早送り駆動時の二次電池１０５の電圧値と時刻との関係を予め求めておき、図１４に示すように、二次電池１０５の電圧値と時刻と早送りパルス幅とを対応付けて記憶部１１５に記憶させておいてもよい。この場合、制御回路１０３Ａは、早送り駆動開始時の二次電池１０５の電圧値を取得し、取得した電圧値と、早送り駆動を開始してからの時刻とに応じたパルス幅を記憶部１１５から読み出すようにしてもよい。
【０１１１】
図１５は、本実施形態の変形例における記憶部１１５に記憶されている情報の一例を示す図である。また、図１５に示す例は、早送り周波数が１２８［Ｈｚ］、二次電池１０５の電圧値が２．３［Ｖ］のときデューティ比が５０％の例である。図１５に示す例では、時刻と、二次電池１０５の電圧値と、早送りパルス幅とが対応付けられて記憶部１１５に記憶されている。
例えば、電圧値が２．３［Ｖ］のとき、早送りパルス幅は約３．９０［ｍｓｅｃ］であり、電圧値が２．２５［Ｖ］のとき、早送りパルス幅は約３．９９［ｍｓｅｃ］｛＝（２．３×（１／１２８）／２）／２．２５｝である。
なお、時刻は、早送り駆動が開始されたときから計測された時間である。例えば、早送り駆動が２．３［Ｖ］から開始された場合、制御回路１０３Ａは、時刻ｔ０を開始時間とし、時間（ｔ１−ｔ０）経過時に電圧値が２．２５［Ｖ］に下がっているものとし、早送りパルス幅３．９９［ｍｓｅｃ］を読み出す。
なお、本実施形態では、デューティ比が５０％の例として示したが、動作が安定する範囲でデューティ比を変更しても良い。
【０１１２】
以上のように、本実施形態の電子時計１Ａは、ソーラー電源１５１（ソーラーパネル１０４、二次電池１０５）と、ソーラー電源から供給された電力を用いて、定電圧ＶCを生成する定電圧回路１０７Ａと、第１の運針速度（通常送り）と、第１の運針速度より速い第２の運針速度（早送り）とによって回転体（時針１２２、分針１２３、秒針１２４）を駆動して計時する制御回路１０３Ａと、を備え、制御回路は、第１の運針速度の場合に、ソーラー電源の電圧ＶBで回転体を駆動し、第２の運針速度の場合に、定電圧ＶCおよびソーラー電源の電圧ＶBのうち少なくとも一方の電圧で回転体を駆動するように選択する。
【０１１３】
この構成によって、本実施形態によれば、第１実施形態と同様に、通常送りを行うときのモータ１１１の消費電流を定電圧で駆動する従来技術の電子時計より低減することができる。これにより、本実施形態の電子時計１Ａでは、第１実施形態と同様に、二次電池１０５による駆動時間を従来技術の電子時計より長くすることができる。さらに、第１実施形態と同様に、本実施形態の電子時計１Ａでは、充電中も通常送りの動作が行われているため、通常送りを行うときのモータ１１１の消費電流を低減することで、二次電池への充電時間を短くすることができる。
【０１１４】
また、本実施形態の電子時計１Ａにおいて、回転体は、時針１２２、分針１２３、および秒針１２４を備え、時針、分針、秒針それぞれを駆動する複数のモータ（１１１１、１１１２、１１１３）、を備え、制御回路１０３Ａは、第１の運針速度（通常送り）の場合に、回転体のうちの少なくとも秒針をソーラー電源１５１（ソーラーパネル１０４、二次電池１０５）の電圧ＶBで駆動する。
【０１１５】
この構成によって、本実施形態によれば、指針１２５のうち、最も駆動頻度の高い秒針１２４を、時刻表示である通常送りのときに電池電圧を用いて駆動することで、モータ１１１１の消費電流を定電圧で駆動する従来技術の電子時計より低減することができる。これにより、本実施形態の電子時計１Ａでは、二次電池１０５による駆動時間を従来技術の電子時計より長くすることができる。
【０１１６】
また、本実施形態の電子時計１Ａにおいて、制御回路１０３Ａは、ソーラー電源１５１（ソーラーパネル１０４、二次電池１０５）の電圧値を判別するための第１閾値Ｖref1と第１閾値より小さい第２閾値Ｖref2との２つの閾値を有し、ソーラー電源の電圧値と２つの閾値とを比較し、比較した結果に応じて第２の運針速度（早送り）の場合に用いる電圧を切り替える。
【０１１７】
この構成によって、本実施形態によれば、第１閾値Ｖref1と第２閾値Ｖref2を用いて、早送りに用いる電圧を切り替えて使用することで、二次電池１０５の電力を有効に使用することができ、かつ安定した早送り駆動を行うことができる。
【０１１８】
また、本実施形態の電子時計１Ａにおいて、ソーラー電源１５１（ソーラーパネル１０４、二次電池１０５）の電圧値を検出する検出部（電源電圧検出回路１０６）、を備え、制御回路１０３Ａは、検出されたソーラー電源の電圧値が第１閾値Ｖref1より大きい場合に、第１の運針速度（通常送り）による駆動をソーラー電源の電圧ＶBで駆動し、第２の運針速度（早送り）による駆動を定電圧ＶCで行い、検出されたソーラー電源の電圧値が第１閾値以下かつ第２閾値Ｖref2以上の場合に、第１の運針速度による駆動および第２の運針速度による駆動をソーラー電源の電圧で行い、検出されたソーラー電源の電圧値が第２閾値未満の場合に、第１の運針速度による駆動をソーラー電源の電圧値より小さい電圧で行い、第２の運針速度による駆動を停止させるように切り換える。
【０１１９】
この構成によって、本実施形態によれば、太陽光によって発電された電力を蓄える二次電池１０５の電圧値に応じて、早送り駆動に用いる電圧を切り替えて使用することで、二次電池１０５の電力を有効に使用することができ、かつ安定した早送り駆動を行うことができる。
【０１２０】
また、本実施形態の電子時計１Ａにおいて、指示を受け付ける入力部１１３Ａ、を備え、検出部（電源電圧検出回路１０６）は、入力部が受け付けた指示が第２の運針速度（早送り）による駆動を行う指示である場合、ソーラー電源の電圧値を検出する。
【０１２１】
この構成によって、本実施形態によれば、利用者によって入力部１１３Ａが操作された結果に応じて早送り指示を入力部１１３Ａが受け取り、または、入力部１１３Ａが端末３から早送り指示を受け取る。そして、電子時計１Ａは、受け取った早送り指示に応じて、早送り駆動を行うときに、二次電池１０５の電圧値を取得する。これにより、本実施形態では、早送り指示を受け取ったときのみ、二次電池１０５の電池電圧を検出するため、二次電池１０５の電圧値の検出にかかる消費電力を低減することができる。
【０１２２】
また、本実施形態の電子時計１Ａにおいて、第２の運針速度（早送り）による駆動は、駆動パルス幅が第２の運針速度の進行に伴って長くなる。
【０１２３】
この構成によって、本実施形態によれば、早送り駆動中に、パルス幅を電圧値の減少に応じて長くするように制御する。この結果、本実施形態によれば、早送り駆動中に、二次電池１０５の電圧値が早送り駆動開始時より下がった場合であっても、早送り駆動を安定して行うことができる。
【０１２４】
また、本実施形態の電子時計１Ａにおいて、第２の運針速度（早送り）で駆動させる回転体（時針１２２、分針１２３、秒針１２４）は、正転および逆転動作を含み、制御回路１０３Ａは、第１閾値Ｖref1および第２閾値Ｖref2それぞれの値を、正転または逆転動作に応じて選択および変更のうち少なくとも１つを行う。
【０１２５】
この構成によって、本実施形態によれば、正転時と逆転時とで、指針１２５を駆動するモータ１１１に必要な電圧値が異なるような場合に、第１閾値および第２閾値それぞれの値を、正転または逆転動作に応じて選択および変更のうち少なくとも１つを行う。この結果、本実施形態によれば、正転時にも逆転時にも安定した早送り駆動を行うことができる。
【０１２６】
なお、第１実施形態および第２実施形態では、電子時計１または１Ａが、ソーラー電源として、ソーラーパネル１０４（太陽電池）と二次電池１０５とを備える例を説明したが、不図示の一次電池を備えていてもよい。この場合、制御回路１０３または制御回路１０３Ａは、例えば、二次電池１０５の電圧値が定電圧の２．３［Ｖ］以下になった場合、一次電池から供給された電力を定電圧回路１０７または１０７Ａに供給するようにしてもよい。なお、一次電池とは、コイン型（またはボタン型）のリチウム電池、酸化銀電池等である。
また、二次電池は、蓄電池であり、または所定の容量以上の電解コンデンサであってもよい。
【０１２７】
また、第１実施形態および第２実施形態で説明した各電圧値は一例であり、これに限られない。例えば、二次電池１０５の最大電圧値は、定電圧以上であればよく、例えば約３．０［Ｖ］より低い電圧値であればよい。また、定電圧の電圧値も２．３［Ｖ］に限られず、二次電池１０５の図４を用いて説明した第２の領域以上の電圧であればよい。
【０１２８】
また、第１実施形態および第２実施形態では、補助駆動パルス生成部１１０を備える例を説明したが、これに限られない。例えば、制御回路１０３または１０３Ａは、回転検出判定回路１１２から入力された情報に基づいて、通常送りパルス信号を補正する必要があると判定した場合、分周回路１０２の分周比を補正して制御するようにしてもよい。例えば、補正を行う周期である補正周期が「１０」秒、補正単位時間（＝（発振クロック周波数）-1）が「１／３２７６８」秒、調整量が「１」、調整方向が「時間を早める」方向である場合、制御回路１０３または１０３Ａは、１０秒毎に、１つのクロック信号のパルス幅を「１」×「１／３２７６８」秒の分だけ短くするように分周回路１０２を制御するようにしてもよい。
【０１２９】
また、第１実施形態および第２実施形態で説明した電子時計１または１Ａは、腕時計であってもよく、壁掛け時計であってもよく、置き時計であってもよく、アナログ表示の電子時計であればよい。
【０１３０】
なお、上述した実施形態における電子時計１または１Ａが備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１３１】
また、「コンピュータ読み取り可能な記録媒体」とは、フレキシブルディスク、光磁ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであってもよい。
【符号の説明】
【０１３２】
１、１Ａ…電子時計、３…端末、１０１…発振回路、１０２…分周回路、１０３、１０３Ａ…制御回路、１０４…ソーラーパネル、１０５…二次電池、１０６…電源電圧検出回路、１０７、１０７Ａ…定電圧回路、１０８、１０８Ａ…早送りパルス生成部、１０９、１０９Ａ…通常送りパルス生成部、１１０…補助駆動パルス生成部、１１１、１１１Ａ…モータ、１１２…回転検出判定回路、１１３、１１３Ａ…入力部、１２１…文字板、１２２…時針、１２３…分針、１２４…秒針、１２５…指針、１２６…指針軸、１３１…基板、１４１…風防、１４２…裏蓋、１４３…ベゼル、１４４…ケース、１４５…ベルト、１５１…ソーラー電源、３０１…制御部、３０２…通信部、３０３…アンテナ、３０４…表示部、３０５…タッチパネル部、１１１１…モータ、１１１２…モータ、１１１３…モータ、１１３１…通信部、１１３２…アンテナ
【図１】
0006546038.tif 000002
【図２】
0006546038.tif 000003
【図３】
0006546038.tif 000004
【図４】
0006546038.tif 000005
【図５】
0006546038.tif 000006
【図６】
0006546038.tif 000007
【図７】
0006546038.tif 000008
【図８】
0006546038.tif 000009
【図９】
0006546038.tif 000010
【図１０】
0006546038.tif 000011
【図１１】
0006546038.tif 000012
【図１２】
0006546038.tif 000013
【図１３】
0006546038.tif 000014
【図１４】
0006546038.tif 000015
【図１５】
0006546038.tif 000016